(57)【要約】【課題】  簡易な構成によって良好な内部監視を維持できるサイトグラスを提供する。【解決手段】  本発明のサイトグラスは、粉体５が流れる流路構造体２から分岐するように分岐構造部３が配設されており、当該分岐構造部３における、連通路３ｂを挟んで連通口３ａの対向側に目視部６が配設されている。分岐構造部３の連通路３ｂには、流路２ｂから流入する粉体５を当該流路２ｂに流出できるように構成された構造面７が形成されており、当該構造面７と、流路２ｂの中心軸９に垂直となる垂直面１０とは、粉体５の安息角以上の角度θを形成している。【選択図】  図１
2006266756.tif 000002
【特許請求の範囲】
【請求項１】
中空部が設けられた中空構造体と、上記中空部を目視できる目視部とを備えたサイトグラスであって、
上記中空部に連通する連通口および連通路が設けられた分岐構造部が、上記中空構造体に分岐するように設けられており、
上記中空構造体には、上記中空部に物質を出し入れするための開口部が設けられており、
上記分岐構造部は、上記連通路を挟んで連通口と対向するように上記目視部を有しており、上記中空部に物質が存在する場合に当該中空部から当該連通路に入り込む物質を当該中空部に排出できるように構成された構造面を、当該連通路に有していることを特徴とするサイトグラス。
【請求項２】
上記構造面は、上記中空部の中心軸に垂直となる垂直面に対して、重力に拮抗する方向に傾斜して設けられていることを特徴とする請求項１に記載のサイトグラス。
【請求項３】
上記物質は粉体であり、上記構造面と上記垂直面とがなす角度は、少なくとも当該粉体の安息角以上に形成されていることを特徴とする請求項２に記載のサイトグラス。
【請求項４】
上記中空部を照らす光源を備えていることを特徴とする請求項１から３の何れか１項に記載のサイトグラス。
【請求項５】
上記光源は、上記目視部に設けられていることを特徴とする請求項４に記載のサイトグラス。
【請求項６】
上記中空部を照らす光源を上記目視部に替えて備えた光源分岐部が、上記分岐構造部とともに上記中空構造体に設けられていることを特徴とする請求項１に記載のサイトグラス。
【請求項７】
上記物質は流体であり、上記中空構造体は、当該流体の流入口、流路、および流出口が設けられた流路構造体であることを特徴とする請求項１から６の何れか１項に記載のサイトグラス。
【発明の詳細な説明】
【技術分野】
【０００１】
本発明は、サイトグラスに関し、詳細には、簡易な構成によって良好な内部監視を維持して行うことができるサイトグラスに関するものである。
【背景技術】
【０００２】
一般に、配管内の状態を監視するために、サイトグラスと呼ばれる配管内を目視できる監視用の部材が用いられる。具体的には、このサイトグラスは、配管等の途中に設置され、当該配管内の流体の流れを窓ガラスを通して確認するという流体監視用の部材である。流体としては、例えば、冷却水、潤滑油、スラリー状の流体、粉体等が挙げられる。
【０００３】
一般的なサイトグラスとして、図８（ａ）・（ｂ）に示すような構造が知られている。図８（ａ）・（ｂ）は、平型サイトグラスと呼ばれる一般的なサイトグラスの構造を示すものであり、図８（ａ）は、平型サイトグラス２０の斜視図であり、図８（ｂ）は、図８（ａ）に示す平型サイトグラス２０の切断線Ｂ−Ｂ’で切断した状態を示した矢視断面図である。図８（ａ）・（ｂ）中に示した矢印は、流体の流れる方向を示している。この平型サイトグラス２０は、流入口２１ａおよび流出口２１ｂが設けられた流路２１ｃ（図８（ｂ））によって構成される流路構造体２１と、窓ガラス２２とを備えている。流入口２１ａおよび流出口２１ｂは図示しない配管に接続されている。図示しない配管から流入口２１ａに流入した流体は、流路２１ｃを流れ、流出口２１ｂから図示しない別の配管に流出する。図８（ｂ）に示すように、流路２１ｃ内に流入した流体の状態を、窓ガラス２２から監視することができる。
【０００４】
その他にも、図９（ａ）・（ｂ）に示すような構造も知られている。図９（ａ）・（ｂ）は、筒型サイトグラスと呼ばれる一般的なサイトグラスの構造を示すものであり、図９（ａ）は、筒型サイトグラス２３の斜視図であり、図９（ｂ）は、図９（ａ）に示す筒型サイトグラス２３の切断線Ｂ−Ｂ’で切断した状態を示した矢視断面図である。図９（ａ）・（ｂ）中に示した矢印は、流体の流れる方向を示している。この筒型サイトグラス２３は、窓ガラス２４によって配管自体を構成している。そのため、筒型サイトグラス２３は、その周囲の何れの方向からでも内部の流体の状態を監視することができる。
【０００５】
また、例えば図１０に示すような構造のサイトグラス２５もある。このサイトグラス２５は、タンク２６および窓ガラス２４を備えており、例えば、タンク２６に設けられた流入口２１ａからタンク２６内部に流入した流体の様子を窓ガラス２４を通じて監視することができる。
【発明の開示】
【発明が解決しようとする課題】
【０００６】
しかしながら、上述した図８（ａ）・（ｂ）〜図１０に示した従来の構造のサイトグラスには以下のような問題がある。
【０００７】
すなわち、図８（ａ）・（ｂ）に示したような構造のサイトグラス２０、および図９（ａ）・（ｂ）に示したような構造のサイトグラス２３は、流体が窓ガラス内部を直接流れる構成となっている。また、図１０に示したような構造のサイトグラス２５も、窓ガラス２４にタンク２６内部の物質が直接接触する構成となっている。そのため、窓ガラス２２（図８（ａ）・（ｂ））・２４（図９（ａ）・（ｂ）、図１０）の内面が流体や物質によって汚れてしまうという問題がある。例えば、冷却水配管の途中に設けられたサイトグラスの場合、窓ガラスの内面にスケールや水垢が付着し、監視時に冷却水の流れが確認しづらくなるという問題がある。
【０００８】
特に、流体や物質として粉体を用いるような場合は、窓ガラスの内面にこの粉体が付着し、粉体の流れが確認しづらくなり、作業時間とともにその付着量が増せば、ついには窓ガラス全面が粉体によって覆われ、流路やタンク内部の粉体の状態を全く確認できなくなるという問題がある。
【０００９】
このような問題を解消する方法として従来知られている構成に、清掃によって窓ガラスの内面の汚れ（すなわち、付着した粉体等）を除去するという構成がある。例えば、定期点検時等にサイトグラスを分解して内面清掃を行ったり、窓ガラスの内面に外部から操作可能なワイパー等の清掃部材を取り付けて清掃を行ったりする。
【００１０】
しかしながら、このようにサイトグラスを分解して清掃するという構成は、非常に手間がかかるため、頻繁に行うことはできない。また、ワイパー等の外部から操作可能な清掃部材を取り付けて清掃を行う方法は、作業者が一々手で操作しなければならないため作業が面倒である。
【００１１】
そこで、本発明は、上記の問題点に鑑みてなされたものであり、その目的は、簡易な構成によって良好な内部監視を維持できるサイトグラスを提供することにある。
【課題を解決するための手段】
【００１２】
本発明に係るサイトグラスは、上述した課題を解決するために、中空部が設けられた中空構造体と、上記中空部を目視できる目視部とを備えたサイトグラスであって、上記中空部に連通する連通口および連通路が設けられた分岐構造部が、上記中空構造体に分岐するように設けられており、上記中空構造体には、上記中空部に物質を出し入れするための開口部が設けられており、上記分岐構造部は、上記連通路を挟んで連通口と対向するように上記目視部を有しており、上記中空部に物質が存在する場合に当該中空部から当該連通路に入り込む物質を当該中空部に排出できるように構成された構造面を、当該連通路に有していることを特徴としている。
【００１３】
上記の構成によれば、本発明のサイトグラスは、目視部に物質が付着することがない。したがって、上記目視部から上記中空部の状態を半永久的に監視することができる。
【００１４】
具体的には、本発明のサイトグラスは、上記分岐構造部が、上記中空構造体から分岐するように配設されており、当該分岐構造部における連通口の対向側に目視部が配設されている。さらに、分岐構造部の連通路に、中空部から当該連通路に入り込む物質を、当該中空部に排出できるように構成された構造面を有している。すなわち、上記分岐構造部は、連通路おいて、この構造面によって連通路に入り込む物質を、中空部に排出させることができる。そのため、連通ロから連通路に入り込んだ物質が、当該連通路を挟んで連通口の対向側に設けられた目視部に到達することはない。
【００１５】
したがって、本発明のサイトグラスは、上記目視部に中空部にある物質が付着する虞はなく、上記中空部を良好に監視できる状態を維持することができる。
【００１６】
よって、本発明の構成によれば、従来のように煩雑な方法によって目視部を清掃する必要はなく、簡易な構成によって半永久的に上記中空部の状態を監視することが可能なサイトグラスを提供することができる。
【００１７】
具体的には、本発明に係るサイトグラスは、上記構造面が、上記中空部の中心軸に垂直となる垂直面に対して、重力に拮抗する方向に傾斜して設けられていることが好ましい。
【００１８】
これにより、本発明のサイトグラスは、上記構造面を、上記中空部の中心軸に垂直となる垂直面に対して重力に拮抗する方向に傾斜させるという簡易な構成によって、中空部から分岐構造部の内部に入り込んだ物質を当該中空部に排出させることができる。よって、上記目視部に物質が付着する虞のない、上記中空部を良好に監視できるサイトグラスを実現することができる。
【００１９】
また、本発明に係るサイトグラスは、上記物質が粉体であり、上記構造面と上記垂直面とがなす角度は、少なくとも当該粉体の安息角以上に形成されていることが好ましい。
【００２０】
これにより、上記分岐構造部の連通路に上記中空部から物質（粉体）が入り込んだ場合であっても、連通路に設けられた構造面と、上記垂直面とが当該粉体の安息角以上の角度を形成しているので、入り込んだ粉体は、連通路内に堆積することなく、再び中空部に排出される。
【００２１】
したがって、粉体が上記分岐構造部の連通路に入り込んだ場合であっても、当該粉体が上記目視部に付着することはない。よって、上記中空部の監視を良好な状態で継続できるサイトグラスを実現することができる。
【００２２】
なお、ここで安息角とは、粉体を水平面に静かに落下堆積させたときにできる円錐状の堆積物の母線が、当該水平面とつくる角度（傾斜角）のことである。
【００２３】
また、本発明に係るサイトグラスは、上記中空部を照らす光源を備えていることが好ましい。
【００２４】
これにより、本発明のサイトグラスは、上記光源から出射された光を用いて上記中空部の内部の物質を監視することができる。
【００２５】
また、本発明に係るサイトグラスは、上記光源が、上記目視部に設けられていることが好ましい。
【００２６】
これにより、本発明のサイトグラスは、目視部からの流路内の監視をさらに良好に実現することができる。
【００２７】
また、本発明に係るサイトグラスは、上記中空部を照らす光源を上記目視部に替えて備えた光源分岐部が、上記分岐構造部とともに上記中空構造体に設けられていることが好ましい。
【００２８】
これにより、上記中空部に物質がある場合に、上記目視部と同様、当該物質が上記光源に付着する虞はない。これにより、常に中空部を良好に照射することができるサイトグラスを提供することができる。
【００２９】
また、本発明に係るサイトグラスは、上記物質は流体であり、上記中空構造体は、当該流体の流入口、流路、および流出口が設けられた流路構造体であってもよい。
【００３０】
上記中空構造体が上記流路構造体であっても、本発明のサイトグラスは、連通路おいて構造面によって当該連通路に流入する流体を、流路に流出させることができる。そのため、連通ロから連通路に流入した物質が、当該連通路を挟んで連通口の対向側に設けられた目視部に到達することはない。
【発明の効果】
【００３１】
本発明に係る流体検出装置は、以上のように、中空部が設けられた中空構造体と、上記中空部を目視できる目視部とを備えたサイトグラスであって、上記中空部に連通する連通口および連通路が設けられた分岐構造部が、上記中空構造体に分岐するように設けられており、上記中空構造体には、上記中空部に物質を出し入れするための開口部が設けられており、上記分岐構造部は、上記連通路を挟んで連通口と対向するように上記目視部を有しており、上記中空部に物質が存在する場合に当該中空部から当該連通路に入り込む物質を当該中空部に排出できるように構成された構造面を、当該連通路に有していることを特徴としている。
【００３２】
上記の構成によれば、本発明のサイトグラスは、上記分岐構造部が、連通路において構造面によって当該連通路に入り込む物質を、中空部に排出させることができる。そのため、連通ロから連通路に入り込んだ物質が、当該連通路を挟んで連通口の対向側に設けられた目視部に到達することはない。
【００３３】
したがって、本発明のサイトグラスは、上記中空部に物質がある場合、上記目視部に当該物質が付着する虞はなく、上記中空部を良好に監視できる状態を維持することができる。
【００３４】
よって、本発明の構成によれば、従来のように煩雑な方法によって目視部を清掃する必要はなく、簡易な構成によって半永久的に上記中空部の状態を監視することが可能なサイトグラスを提供することができる。
【発明を実施するための最良の形態】
【００３５】
本発明の実施の一形態について図１ないし図７に基づいて説明すれば、以下の通りである。
【００３６】
なお、以下の説明では、本発明を実施するために技術的に好ましい種々の限定が付されているが、本発明の範囲が、以下の実施形態および図面に限定されるものではない。
【００３７】
また、本実施の形態では、粉体の流れやその状態を監視・観察する場合のサイトグラスについて説明するが、本発明のサイトグラスは、粉体に限定されるものではなく、上記したような冷却水、潤滑油、スラリー状の流体が流れている場合にこれらを監視・観察するために適用されるものであってもよい。
【００３８】
図１（ａ）・（ｂ）は、本実施の形態におけるサイトグラス１の構成を示す図であり、図１（ａ）はサイトグラス１の構成を示した斜視図であり、図１（ｂ）は図１（ａ）に図示したサイトグラス１の切断線Ａ−Ａ’で切断した状態を示した矢視断面図である。なお、図１（ａ）・（ｂ）に示した矢印は、粉体５の流れる方向を示している。図１（ａ）・（ｂ）に示すサイトグラス１は、例えば、配管内の状態を監視するための部材として、配管等の途中に設置され、配管内の流体の状態や流れを監視・確認することができる。具体的には、作業者等が、サイトグラス１に設けられた目視部６を通じて目視により配管内の流体の状態や流れを監視・確認することができる。そのため、上記サイトグラス１は、流路構造体（中空構造体）２と、分岐構造部３と、光源４と、目視部６とを備えている。流路構造体２と分岐構造部３とは、図１（ａ）・（ｂ）に示すように、分岐構造部３が流路構造体２から分岐するように配置された構造を形成している。上記目視部６は、図１（ａ）・（ｂ）に示すように、流路構造体２から分岐した分岐構造部３の先端に配設されている。
【００３９】
上記流路構造体２は、図１（ａ）・（ｂ）に示すように、粉体５が流入する流入口２ａと、当該流入口２ａから流入した粉体５が流れる流路２ｂと、当該流路２ｂを流れた粉体５が流出する流出口２ｃとが設けられている。上記流入口２ａおよび流出口２ｃにはそれぞれ、図示しない配管が接続され、図示しない粉体供給部から供給された粉体５が当該配管を通じて流入口２ａから流路構造体２（流路２ｂ）に流入し、流出口２ｃから図示しない別の配管に流出される構成とすることができる。配管とサイトグラス１との接続方法は、例えば、フランジ接続、溶接等が挙げられ、強度、取り付けの操作性の観点からフランジ接続が推奨される。
【００４０】
上記流路構造体２は、例えば、ステンレス、鉄、チタン鋼、アルミニウムなどの金属材料、繊維強化プラスチック（ＦＲＰ）等の複合材料等を用いて構成することができる。金属製構造体の場合には、流体が接する内面に、ガラス、エポキシ樹脂、ＦＲＰ、ポリエチレン、ポリエステル、ゴム、フッ素樹脂等をライニングしてもよい。
【００４１】
なお、本実施の形態におけるサイトグラス１は、上記流路構造体２において、粉体５が重力に従って流れるように構成されている。したがって、サイトグラス１は、上記流路構造体２の流路２ｂの中心軸９（図１（ｂ））を、水平面に対して垂直になるように構成している。
【００４２】
上記分岐構造部３は、図１（ａ）に示したように、当該流路構造体２から分岐するように配設されている。さらに、上記分岐構造部３は、図１（ｂ）に示すように、一方の端において流路構造体２の流路２ｂと連通する連通口３ａを形成しており、他方の端に上記目視部６を有している。連通口３ａと目視部６との間は、これらが所定の距離を隔てて離間するように、連通口３ａに続く連通路３ｂが形成されている。
【００４３】
上記分岐構造部３は、上記流路構造体２と同様の材料を用いることができる。
【００４４】
上記連通口３ａの開口径は、特に限定されるものではないが、例えば１０ｍｍ〜５００ｍｍ、好ましくは５０ｍｍ〜１００ｍｍとすることができる。
【００４５】
上記連通口３ａと目視部６との距離（すなわち、連通路３ｂの長さ）は、例えば、５０ｍｍ〜５００ｍｍ、好ましくは１５０ｍｍ〜３００ｍｍとすることができる。しかしながら、この距離は、流路２ｂ内を流れる粉体５の種類、連通口３ａの開口径に相関する。そのため、これらに応じて、上記目視部６に粉体５が付着（接触）しないような距離を適宜設定することが好ましい。
【００４６】
また、上記分岐構造部３には、連通路３ｂに流路２ｂから流入する粉体５を再び流路２ｂに流出できるように構成された構造面７が、当該連通路３ｂに形成されている。
【００４７】
上記構造面７は、流路構造体２の流路２ｂの中心軸９（図１（ｂ））に垂直となる垂直面１０に対して、粉体５の安息角以上の角度θ（すなわち、安息角よりも大きい角度）を形成して流入口２ａ側に傾斜している。
【００４８】
なお、ここで安息角とは、粉体５を水平面に静かに落下堆積させたときにできる円錐状の堆積物の母線が、当該水平面とつくる角度（傾斜角）のことである。安息角は、粉体５の種類によって異なるが、同じ粉体５であってもその含水量によって変化する。安息角は、従来公知の安息角測定器を用いて測定することができる。例えば、粉体５として、粒度７０μｍの炭酸カルシウム（含水量０％）を用いた場合であればこの安息角は４５°となり、粒度７０μｍの炭酸カルシウム（含水量０．５％）を用いた場合は安息角が５５°となる。
【００４９】
なお、上記構造面７は、分岐構造部３の連通路３ｂであるとみなすこともできる。すなわち、本実施の形態のサイドグラス１では、図１（ａ）・（ｂ）に示すように、分岐構造部３が円柱形状となっている。この場合、図１（ｂ）に示すように、分岐構造部３の中心軸８（図１（ｂ））を、上記垂直面１０に対して粉体５の安息角以上の角度θ（すなわち、安息角よりも大きな角度）を形成するように、流入口２ａ側に傾斜させることによって、連通路３ｂは垂直面１０との間に粉体５の安息角以上の角度θを形成していることになる。このように、連通路３ｂが垂直面１０との間に粉体５の安息角以上の角度θを形成すれば、連通路３ｂに流入する粉体５は、流路２ｂに流出し、上記構造面７と同様の効果を得ることができる。
【００５０】
なお、上記構造面７は、例えば、流路２ｂから流入した粉体５が当該流路２ｂに流出しやすいような表面処理加工を施していてもよい。また、上記したように、連通路３ｂを構造面７とみなす場合であっても、連通路３ｂ表面に上記と同様の表面処理加工を施していてもよい。
【００５１】
また、上記構造面７は、図１（ｂ）に示したような平面に限定されるものではなく、彎曲や凹凸が形成されているものであってもよい。
【００５２】
上記目視部６は、上記流路構造体２の内部（すなわち、流路２ｂ内）の粉体５の状態や流れを監視・観察するために設けられている。例えば、作業者は、この目視部６を通じて流路２ｂ内の粉体５の状態や流れを監視・観察することができる。目視部６には、透明な構造材料を用いることができる。具体的には、ガラス、アクリルガラス（樹脂）、透明ポリ塩化ビニル（樹脂）、透明ポリエーテルスルホン（樹脂）、透明ポリエステル（樹脂）、耐熱ガラス、強化耐熱ガラス等が挙げられ、耐熱性、耐薬品性の観点から、耐熱ガラス、強化耐熱ガラスが好適である。
【００５３】
なお、図１（ａ）・（ｂ）に示す構造のサイトグラス１は、分岐構造部３が、図１（ａ）・（ｂ）に示すように、目視部６が設けられている側と、連通口３ａが設けられている側とがフランジ接続されている。このように構成することによって、分岐構造部３の強度を高めることができるとともに、分岐構造体３の長さも容易に変更することができる。
【００５４】
上記光源４は、作業者が目視部６から流路２ｂ内の粉体５の状態や流れを監視・観察できるように上記流路２ｂ内を照らすために設けられている。本実施の形態のサイトグラス１では、光源４を分岐構造部３の目視部６に設けており、流路２ｂと分岐構造部３との連通部分に向けて光を出射している。光源４としては、サイトグラスに適用されている光源を用いることができ、具体的には、白熱灯、蛍光灯、発光ダイオード等を用いることができる。
【００５５】
以上のように、本実施の形態におけるサイトグラス１は、上記分岐構造部３が、上記流路構造体２から分岐するように配設されており、当該分岐構造部３における連通口３ａの対向側に目視部６が配設されている。さらに、上記分岐構造部３の連通路３ｂに，上記流路２ｂから流入する粉体５を当該流路２ｂに流出できるように構成された構造面７を有している。すなわち、上記分岐構造部３は、連通路３ｂ（具体的には、構造面７）において、連通路３ｂに流入した粉体５を、流路２ｂに流出させることができる。そのため、連通ロ３ａから連通路３ｂに流入した粉体５が、当該連通路３ｂを挟んで連通口３ａの対向側に設けられた目視部６に到達することはない。
【００５６】
これにより、サイトグラス１は、上記目視部６が粉体５によって汚れることはなく、流路２ｂ内を良好に監視できる状態を維持することができる。
【００５７】
したがって、本発明の構成によれば、従来のように煩雑な方法によって目視部を清掃する必要はなく、簡易な構成によって半永久的に上記流路２ｂ内の良好な監視が可能なサイトグラス１を提供することができる。
【００５８】
なお、本実施の形態では、図１（ａ）に示したように、流路構造体２および分岐構造部３は円柱形状を有している。しかしながら、本発明はこれに限定されるものではない。
【００５９】
また、本実施の形態では、上記のように、構造面７を透視構造体３の連通路３ｂとして構成している。そのため、透視構造体３自体が上記垂直面１０に対して粉体５の安息角以上の角度θを形成するように、流入口２ａ側に傾斜している。しかしながら、本発明はこれに限定されるものではなく、少なくとも構造面７が、上記垂直面１０に対して粉体５の安息角以上の角度θ（すなわち、安息角よりも大きい角度）を形成するように、流入口２ａ側に傾斜した構成であればよい。したがって、図２に示すような、本実施の形態の分岐構造部３および構造面７とは異なる形状の分岐構造部３および構造面７を構成してもよい。図２は、本実施の形態の分岐構造部３および構造面７とは異なる形状の分岐構造部３および構造面７を示した断面図である。図２に示すように、本発明のサイトグラスは、連通路３ｂ（透視構造体３）自体によって上記の角度を形成される必要はなく、構造面７が上記垂直面１０に対して粉体５の安息角以上の角度θを形成していればよい。
【００６０】
また、図３は、本実施の形態の分岐構造部３および構造面７とは異なる形状の分岐構造部３および構造面７を示した断面図である。図３に示すように、構造面７は、連通口３ａ付近にのみ形成してもよい。
【００６１】
なお、本実施の形態のサイトグラス１では、光源４を、分岐構造部３の目視部６に設け、流路２ｂと分岐構造部３との連通部分に向けて光を出射している構成である。しかしながら、本発明はこれに限定されるものではなく、作業者が目視部６から流路２ｂ内の粉体５の状態や流れを監視・観察することができれば、その設置位置は上記に限定されるものではない。したがって、例えば、分岐構造部３の別の位置に設置することもできる。例えば、連通口３ａに設けることも可能である。また、図４は、本実施の形態の光源４とは設置位置が異なるサイトグラス１の構成を示した断面図である。図４に示すように、流路２ｂを挟んで、連通口３ａの反対側に光源４を設け、作業者は、粉体５を介して当該光源４から出射された光によって流路２ｂ内の粉体５の状態や流れを監視・観察できる構成であってもよい。
【００６２】
さらに、本実施形態のサイトグラスは、図１（ｂ）に示したように光源４を備えている。しかしながら、本発明はこれに限定されるものではなく、光源４がなくとも、目視部６に作業者が懐中電灯等の外部光源で照射しながら、監視・観察を行なっても良い。また、光源４を備えない場合として、例えば、図５のようなサイトグラス１’としてもよい。図５に示すように、サイトグラス１’は、分岐構造部３（これを分岐構造部３−１とする）を、もう一つ設けた（これを分岐構造部３−２）構成となっている。このように分岐構造部３−２を設けることによって、目視部６−２から外部光源を流路２ｂ内に取り入れることができ、分岐構造部３−１を流路２ｂの監視・観察のために用いることができる。
【００６３】
このように、光源４を備えず、外部光源を流路２ｂ内に取り入れる場合、上記の構成とすることにより、目視部６−２に流体が付着する虞がないため、流体によって外部光源が遮断されることはない。
【００６４】
また、光源４を備えた場合の構成として図６に示すようなサイトグラス１’としてもよい。図６に示すサイトグラス１’は、図５の分岐構造部３−２の目視部６―２を上記光源４に替えて備えた光源分岐部１３を、分岐構造部３とともに流路構造体２に配設している。このように、サイトグラス１’は、光源４を分岐構造部３の目視部６に替えて備えた光源分岐部１３が設けられているため、光源４に流体が付着する虞はなく、常に流路２ｂを良好に照射することができる。
【００６５】
また、本実施の形態では、流体の流入口２ａ、流路２ｂ、および流出口２ｃが設けられた流路構造体２を備えたサイトグラス１について説明したが、本発明はこれに限定されるものではない。すなわち、例えば、図７に示すような構造のサイトグラス１’’であってもよい。サイトグラス１’’は、図７に示すように、タンク（中空構造体）１５と分岐構造部３とを備えている。タンク１５には開口部１５ｂが設けられており、この開口部１５ｂから物質をタンク内部１５ａに出し入れすることができる。本発明は、分岐構造部３が上述した構成であるため、タンク内部１５ａ（中空部）に物質があるような場合であっても、連通路３ｂおいて構造面７によって当該連通路３ｂに入り込む物質を、タンク内部１５ａに排出させることができる。そのため、連通ロ３ａから連通路３ｂに入り込んだ物質が、当該連通路３ｂを挟んで連通口３ａの対向側に設けられた目視部６に到達することはない。したがって、目視部６にタンク内部１５ａにある物質が付着する虞はなく、上記タンク内部１５ａを良好に監視できる状態を維持することができる。
【産業上の利用可能性】
【００６６】
本発明に係るサイトグラスは、目視部に中空構造体を流れる流体が付着する虞はなく、上記流路内を良好に監視できる状態を維持することができる。
【００６７】
したがって、ホッパー、シュート等の流体輸送装置、サイロ、タンク等の流体保管装置等に広く適用することができる。
【図面の簡単な説明】
【００６８】
【図１】（ａ）は本発明の一実施形態に係るサイトグラスの構成を示した斜視図であり、（ｂ）は（ａ）に図示したサイトグラスの切断線Ａ−Ａ’で切断した状態を示した矢視断面図である。
【図２】本発明の一実施形態に係るサイトグラスにおける分岐構造部および構造面の他の構成を示した断面図である。
【図３】本発明の一実施形態に係るサイトグラスにおける分岐構造部および構造面の他の構成を示した断面図である。
【図４】本発明の一実施形態に係るサイトグラスにおける光源を他の位置に配置した場合の構成を示した断面図である。
【図５】本発明の一実施形態に係るサイトグラスにおける分岐構造部を複数備えた構成を示した断面図である。
【図６】本発明の一実施形態に係るサイトグラスにおける分岐構造部を複数備え、そのうちの１つに光源が設けられている構成を示した断面図である。
【図７】本発明の一実施形態に係るサイトグラスにおける他の構造を示した断面図である。
【図８】（ａ）は従来技術におけるサイトグラスの構成を示した斜視図であり、（ｂ）は（ａ）に図示したサイトグラスの切断線Ａ−Ａ’で切断した状態を示した矢視断面図である。
【図９】（ａ）は従来技術におけるサイトグラスの構成を示した斜視図であり、（ｂ）は（ａ）に図示したサイトグラスの切断線Ａ−Ａ’で切断した状態を示した矢視断面図である。
【図１０】従来技術におけるサイトグラスの構成を示した斜視図である。
【符号の説明】
【００６９】
１、１’、１’’      サイトグラス
２      流路構造体（中空構造体）
２ａ    流入口（開口部）
２ｂ    流路（中空部）
２ｃ    流出口（開口部）
３、３−１、３−２      分岐構造部
３ａ    連通口
３ｂ    連通路
４      光源
５      粉体（物質、流体）
６      目視部
７      構造面
８      分岐構造部の中心軸
９      流路構造体の流路の中心軸（中空部の中心軸）
１０    垂直面
１３    光源分岐部
１５    タンク（中空構造体）
１５ａ    タンク内部（中空部）
１５ｂ    開口部
【図１】
2006266756.tif 000003
【図２】
2006266756.tif 000004
【図３】
2006266756.tif 000005
【図４】
2006266756.tif 000006
【図５】
2006266756.tif 000007
【図６】
2006266756.tif 000008
【図７】
2006266756.tif 000009
【図８】
2006266756.tif 000010
【図９】
2006266756.tif 000011
【図１０】
2006266756.tif 000012